(57)【要約】【課題】日光および紫外線をより効果的に遮ることの可能な傘を提供する。【解決手段】日光および紫外線を遮断する傘であって、傘布が、日光を遮る第１の層と紫外線を遮る第２の層とを有している。第１の層では日光を反射および遮断し、第２の層では紫外線を遮断する。傘を差す使用者側から見て外側に第１の層を設け、内側に第２の層を設けるように構成することで、第１の層側でまず日光を反射・遮断させ、第１の層で遮れなかった紫外線を第２の層で遮断する。【選択図】図２
2007301235.tif 000002
【特許請求の範囲】
【請求項１】
日光および紫外線を遮断する傘であって、
前記傘の傘布は、前記日光を遮る第１の層と、前記紫外線を遮る第２の層とを有することを特徴とする傘。
【請求項２】
前記第１の層は、前記日光を反射または遮断する遮光層を有することを特徴とする請求項１記載の傘。
【請求項３】
前記第２の層は、前記紫外線を遮断する紫外線遮断層を有することを特徴とする請求項１記載の傘。
【請求項４】
前記遮光層の近傍に、前記日光の反射および遮光を補助する白色層をさらに有することを特徴とする請求項２記載の傘。
【請求項５】
前記紫外線遮断層の近傍に、前記紫外線の遮断を補助する黒色層をさらに有することを特徴とする請求項３記載の傘。
【請求項６】
前記傘の使用時に、前記第１の層は、前記第２の層よりも日光および紫外線の照射位置に近い側に設けられたことを特徴とする請求項１から３のいずれか１項記載の傘。
【発明の詳細な説明】
【技術分野】
【０００１】
本発明は、日光や紫外線を遮断する傘に関する。
【背景技術】
【０００２】
従来の日除け用などに利用される傘は、日光を遮断することを主な目的とする白色生地のみを用いたものや、もしくは、紫外線を遮断することを主な目的とする黒色生地のみを用いたものや、紫外線遮断フィルム、紫外線遮断フィルムと同じ効果を有する成分を塗布したものなどがある。
【０００３】
このような日除け用の傘に用いられる傘布に関する従来技術としては、特許文献１，２に開示された発明が公知である。特許文献１には、日照時のみならず雨天時においても照射される紫外線を、より効果的に遮ることの可能な紫外線吸収膜付き傘に関する発明が開示されている。
【０００４】
また、特許文献２には、丸編地または経編地などのニット生地からなる基布の少なくとも片面にアルミニウム金属層とウレタン系樹脂被膜層とを設けることによって、軽量で嵩が低く、光線透過度が低く、降雨時にも使用可能でかつ折り畳み傘としても使用可能な日除け用シート材料に関する発明が開示されている。
【０００５】
さらに、特許文献３には、傘布に多数の貫通穴を有し、表面の光の反射率を高くするとともに裏面の光の反射率を低くすることによって、日差しを確実に遮りかつ傘布ごしに遠方を的確に見ることができ、涼風感に優れた傘に関する発明が開示されている。
【特許文献１】特開平４−０６７８０４号公報
【特許文献２】特開平６−１３４９２９号公報
【特許文献３】特開平１０−２１５９２７号公報
【発明の開示】
【発明が解決しようとする課題】
【０００６】
しかし、従来の技術においては、日光および紫外線を効果的に遮断するには至っていない。例えば、特許文献３に記載された発明のように、傘布に多数の貫通穴を設けてしまうと、当該貫通穴から日光および紫外線が傘の内部（傘を差している人の側）まで漏れてしまう。したがって、日除けのために傘を差しているにもかかわらず、日光および紫外線を受けている状態とあまり変わらない。また、紫外線遮断を目的として黒色生地を用いた場合には、日光の熱を吸収するため、傘内部の温度が上がっていた。
【０００７】
このような課題に鑑み、本発明は、日光および紫外線をより効果的に遮ることの可能な傘を提供することを目的としている。
【課題を解決するための手段】
【０００８】
上記の目的を達成するため、請求項１に記載の発明は、日光および紫外線を遮断する傘であって、傘の傘布は、日光を遮る第１の層と、紫外線を遮る第２の層とを有することを特徴とする。
【０００９】
請求項２に記載の発明は、請求項１記載の傘において、第１の層は、日光を反射または遮断する遮光層を有することを特徴とする。
【００１０】
請求項３に記載の発明は、請求項１記載の傘において、第２の層は、紫外線を遮断する紫外線遮断層を有することを特徴とする。
【００１１】
請求項４に記載の発明は、請求項２記載の傘において、遮光層の近傍に、日光の反射および遮光を補助する白色層をさらに有することを特徴とする。
【００１２】
請求項５に記載の発明は、請求項３記載の傘において、紫外線遮断層の近傍に、紫外線の遮断を補助する黒色層をさらに有することを特徴とする。
【００１３】
請求項６に記載の発明は、請求項１から３のいずれか１項記載の傘において、傘の使用時に、第１の層は、第２の層よりも日光および紫外線の照射位置に近い側に設けられたことを特徴とする。
【発明の効果】
【００１４】
このように、本発明の傘によれば、日光および紫外線をより効果的に遮ることが可能となる。
【発明を実施するための最良の形態】
【００１５】
以下に、本実施形態の傘について図面を参照しながら詳細に説明する。なお、本実施形態は以下に述べるものに限定されず、その趣旨を逸脱しない範囲において種々変更が可能である。
【００１６】
図１は、本実施形態の傘の構成を示す外観図である。図１（ａ）は、傘１の側面外観図であり、図１（ｂ）は、傘１の側面断面図である。この図１に示すように、本実施形態の傘１は、傘布部２と、傘軸部３と、把手部４と、昇降ロクロ５と、傘骨部６とを備えている。
【００１７】
傘布部２は、本実施形態の傘１の使用者に対する日光や紫外線などの照射を遮るものである。傘軸部３は、本実施形態の傘１の支柱であり、傘軸部３の長手方向下側には、使用者の握持部となる把手部４が設けられている。また、把手部４の他端側には、傘軸部３に挿通された昇降ロクロ５が設けられ、さらに昇降ロクロ５に一端が接続された複数の傘骨部６が傘１を開閉可能に設けられている。そして、傘１を開いた状態にしたときに、傘骨部６上に傘布部２が張設されるようにして構成されている。
【００１８】
図２は、本実施形態の傘１における傘布部２の拡大断面図である。
図２に示すように、傘布部２は、日光を反射、遮断する遮光層２１と、紫外線を遮断、吸収する紫外線遮断層２２とを備えている。遮光層２１に用いられる部材としては、光反射シートや遮光シートなど、光を反射もしくは遮断するものであればよく、周知のものも適宜使用可能である。また、紫外線遮断層２２に用いられる部材としては、紫外線遮断フィルムや紫外線吸収シートなど、紫外線を反射、遮断、吸収するものであればよい。
【００１９】
このように本実施形態の傘によれば、使用者から見て外側に光反射シートや遮光シートなどの生地を使用し、内側には紫外線遮断フィルムなどの生地を使用することによって、日光と紫外線とを同時に遮断することが可能となる。また、外側に遮光性の高い生地を使用することで、日光からの熱を吸収することがなくなり、傘を差している側（内側）の温度が上がらずにすむ。
【００２０】
なお、本実施形態の傘布部２においては、日光が照射される側の面、すなわち、傘１の使用者から見て外側（太陽に対する面）に遮光層２１を設け、使用者から見て内側（使用者に対する面）に紫外線遮断層２２を設けることとして説明したが、本実施形態はこれに限定されず、紫外線遮断層２２を外側に設け、遮光層２１を内側に設けることとしてもよい。しかし実際には、日光側（外側）に設けられた遮光層２１にて殆どの日光を反射・遮断させて、かつ、使用者側（内側）に設けられた紫外線遮断層２２にて遮光層２１で反射・遮断しきれなかった紫外線を吸収・遮断する方が、実用的でありより好ましい形態である。
【００２１】
また、本実施形態の傘布部２においては、遮光層２１および紫外線遮断層２２の２層にて説明したが、この層構成に限定されるものではない。例えば、図３に示すように、遮光層２１と紫外線遮断層２２との間に日光を反射・遮断する色である白色層２３を設け、紫外線遮断層２２の内側に紫外線を吸収する色である黒色層２４を設けることも可能である。遮光層２１の近傍に白色層２３を設け、紫外線遮断層２２の近傍に黒色層２４を設けることによって、日光や紫外線を遮ることを補助させることができる。
【００２２】
白色層２３および黒色層２４に用いられる部材としては周知のものでよく、光反射性を有する白色にて構成された層、および、光吸収性を有する黒色にて構成された層であれば、用いられる材料などにはとらわれない。遮光層２１や紫外線遮断層２２と、白色層２３および黒色層２４などを適宜組み合わせることによって、遮光性、紫外線吸収性を一層向上させることが可能となる。
【００２３】
なお、この白色層２３および黒色層２３に係る積層位置は、遮光層２１の近傍に白色層２３が設けられ、また、紫外線遮断層２２の近傍に黒色層２４が設けられていれば、その位置は限定されない。また、遮光層２１自体を白色を有する層構成とし、また、紫外線遮断層２２自体を黒色を有する層構成としてもよい。このように本実施形態は、様々な形態に変更が可能である。
【図面の簡単な説明】
【００２４】
【図１】本実施形態の傘の外観を模式的に示す図である。
【図２】本実施形態の傘布部の一例を示す断面図である。
【図３】本実施形態の傘布部の他の一例を示す断面図である。
【符号の説明】
【００２５】
１    傘
２    傘布部
２１    遮光層
２２    紫外線遮断層
２３    白色層
２４    黒色層
３    傘軸部
４    把手部
５    昇降ロクロ
６    傘骨部
【図１】
2007301235.tif 000003
【図２】
2007301235.tif 000004
【図３】
2007301235.tif 000005